(57)【要約】【課題】構成が簡単で小形の引出型回路遮断器を構成できる引出型回路遮断器の二次断路装置を提供する。【解決手段】引出枠１上にスライド自在に設けられるとともに枠側接触子６を有する枠側コネクタ１０、枠側コネクタ１０を左方向に付勢するコネクタ復帰ばね１７、ロックレバー１４、枠側コネクタ取付板１８に設けられたスライドピン２０を設け、遮断器本体２上に本体側接触子８を有する本体側コネクタ２４、取付板２２に形成されたロックレバー受け２３を設ける。遮断器本体２が断路位置から試験位置に移動する途中で本体側接触子８が枠側接触子６と接触して、ロックレバー１４が時計方向に付勢されロックレバー受け２３によってその回転が阻止されて枠側コネクタ１０はその位置にとどまる。さらに接続位置に移動する途中でロックレバー受け２３との係合が解消して枠側コネクタ１０は本体側コネクタ２４と共に移動する。【選択図】  図１
2004274832.tif 000002
【特許請求の範囲】
【請求項１】
引出枠と該引出枠内の断路位置、試験位置及び接続位置の間を移動する遮断器本体とからなる引出型回路遮断器に設けられる二次断路装置であって、前記遮断器本体の移動に追随して接触および開離する互いに対を成す枠側接触子と本体側接触子を有し、前記遮断器本体が断路位置から試験位置に移動する途中で前記両接触子が接触して相対的に摺動するように構成されたものにおいて、
前記両接触子のいずれか一方の接触子が該一方の接触子が装着された前記引出枠上又は前記遮断器本体上を移動可能なるように装着され、
前記一方の接触子が装着された前記引出枠又は前記遮断器本体には、前記遮断器本体が前記両接触子が接触した位置から所定の位置に達するまで前記一方の接触子の移動を阻止するとともに、前記遮断器本体が前記所定の位置から接続位置に移動する途中に前記阻止作用を解除する移動阻止手段を備えたことを特徴とする引出型回路遮断器の二次断路装置。
【請求項２】
前記移動阻止手段は、前記遮断器本体が前記両接触子が接触した位置から前記所定の位置に移動するまでの間前記一方の接触子との係合を維持して該一方の接触子が移動することを阻止するとともに、前記遮断器本体が前記所定の位置から接続位置に移動する途中に前記係合を解消するロックレバーを備えたことを特徴とする請求項１の引出型回路遮断器の二次断路装置。
【請求項３】
前記移動阻止手段は、前記遮断器本体が前記両接触子が接触した位置から前記所定の位置に移動するまでの間前記両接触子の接触動作及び接触後の摺動動作において前記一方の接触子に加わる付勢力に抗する作用力を有するばねを備えたことを特徴とする請求項１の引出型回路遮断器の二次断路装置。
【発明の詳細な説明】
【０００１】
【発明の属する技術分野】
本発明は、引出枠と遮断器本体からなる引出型回路遮断器の、遮断器本体が接続位置、試験位置及び断路位置の間を移動するのに応じて補助回路を接続及び断路する二次断路装置に関する。
【０００２】
【従来の技術】
引出型回路遮断器は引出枠とこの引出枠内を水平方向に移動する遮断器本体を有し、双方の主回路導体を互いに接続及び断路する主回路断路装置と双方の補助回路導体を接続及び断路する二次断路装置を備えている。この引出型回路遮断器は、遮断器本体が断路位置にあるときは双方の主回路導体及び補助回路導体は互いに断路状態にあり、断路位置から試験位置に挿入移動される途中に補助回路導体だけが接続され、試験位置から接続位置に挿入移動される途中で主回路導体も接続される構造となっている。
【０００３】
このような引出型回路遮断器の二次断路装置の従来技術が特開平１１−２８５１１３号公報に開示されている。この公報に従来技術として開示されている二次断路装置は、遮断器本体に設けられた遮断器本体の移動方向、すなわち水平方向に長い本体側接触子と引出枠に設けられた枠側接触子を備えている。この引出型回路遮断器は、遮断器本体が断路位置から試験位置に移動する途中で二次断路装置の本体側接触子が枠側接触子と接触し、試験位置に達するまで接触状態を維持しながら相対的に枠側接触子が本体側接触子上を摺動する。この摺動は、遮断器本体が接続位置に達するまで続く。すなわち、本体側接触子は少なくとも両接触子が接触してから遮断器本体が接続位置に達するまでの遮断器本体の移動寸法に相当する長いものが必要であった。このため、全体として回路遮断器の奥行き寸法が長くなるほか、相当長い本体側接触子が正確に水平状態を維持して枠側接触子と正確に接触するように調整する必要があるなどの問題があった。
【０００４】
このような問題を解決するために同公報において特許請求された二次断路装置は、遮断器本体が水平方向に移動したとき、二次断路装置の本体側接触子が遮断器本体の移動に追随して板カムを介して相対的に上下方向に移動するとともに、両接触子が接触後、枠側接触子も本体側接触子と共に奥行き方向に移動するように構成されたものである。
【０００５】
【特許文献１】特開平１１−２８５１１３号公報
【０００６】
【発明が解決しようとする課題】
上述した引出型回路遮断器の二次断路装置は、その本体側接触子が遮断器本体の側面に設けられたものであって、奥行き寸法は小さくなるが左右方向の寸法が大きくなるとともに、構造が複雑であるという問題があった。
したがって、本願発明はこのような課題を解決するためになされたものであって、構成が簡単で奥行き寸法の小さい小形の引出型回路遮断器を構成できる二次断路装置を提供することを目的とする。
【０００７】
【課題を解決するための手段】
上記の問題を解決するために、本発明は、引出枠と該引出枠内の断路位置、試験位置及び接続位置の間を移動する遮断器本体とからなる引出型回路遮断器に設けられる二次断路装置であって、遮断器本体の移動に追随して接触および開離する互いに対を成す枠側接触子と本体側接触子を有し、遮断器本体が断路位置から試験位置に移動する途中で両接触子が接触して相対的に摺動するように構成されたものにおいて、両接触子のいずれか一方の接触子が該一方の接触子が装着された引出枠上又は遮断器本体上を移動可能なるように装着され、一方の接触子が装着された引出枠又は遮断器本体には、遮断器本体が両接触子が接触した位置から所定の位置に達するまで一方の接触子の移動を阻止するとともに、遮断器本体が所定の位置から接続位置に移動する途中に阻止作用を解除する移動阻止手段を備えることとしている。
【０００８】
このような構成によって、遮断器本体が断路位置から接続位置に移動する途中、両接触子に接触圧力を発生させるばね力が両接触子の接触を阻止する方向に作用し、この作用力に相当する力が移動自在に設けられた一方の接触子を移動させるように作用する。しかし、一方の接触子は移動阻止手段によってその移動が阻止されているため両接触子の接触動作が進行して接触が確立する。そして、遮断器本体が所定の位置、例えば試験位置に達するまで両接触子が接触を維持しながら相対的に摺動する。そして、遮断器本体が所定の位置から接触位置に移動する途中に移動阻止手段の阻止作用が解消し、一方の接触子は他方の接触子と共に接続位置まで移動する。したがって、被摺動面を有する接触子は、両接触子が互いに接触してから接続位置にいたるまでの遮断器本体の移動距離に相当する長さを必要とせず、両接触子が互いに接触してから所定の位置に達するまでの遮断器本体の移動距離に相当する長さがあればよい。
【０００９】
上述の移動阻止手段は、遮断器本体が両接触子が接触した位置から所定の位置に移動するまでの間一方の接触子との係合を維持して該一方の接触子が移動することを阻止するとともに、遮断器本体が所定の位置から接続位置に移動する途中に係合を解消するロックレバーを備えたものでもよい。
また、移動阻止手段は、遮断器本体が両接触子が接触した位置から所定の位置に移動するまでの間両接触子の接触動作及び接触後の摺動動作において一方の接触子に加わる付勢力に抗する作用力を有するばねを備えたものであってもよい。
【００１０】
【発明の実施の形態】
本発明による引出型回路遮断器の二次断路装置の実施の形態を、図１ないし図６に示される第１実施例及び図７に示される第２実施例で説明する。
図３を参照して、第１又は第２実施例の二次断路装置を備えた引出型回路遮断器は、引出枠１と引出枠１内で断路位置、試験位置及び接続位置の間を水平方向に移動する遮断器本体２からなり、引出枠１と遮断器本体２はそれぞれ電源側及び負荷側に対応して一対の主回路端子３、３及び主回路端子４、４を備える。それぞれの主回路端子４には、主回路断路装置として主回路端子４を挟むように図示されていない接圧ばねで互いに接近するように付勢されている対向する引出主接触子５、５が設けられている。さらに、引出枠１及び遮断器本体２には、詳細は後述するが、二次断路装置を構成するそれぞれ枠側接触子６を有する枠側ユニット７及び本体側接触子８を有する本体側ユニット９が備えられている。
【００１１】
図３は遮断器本体２が断路位置にある状態を示しており、引出主接触子５と主回路端子３及び枠側接触子６と本体側接触子８が互いに断路した状態にある。この状態から引出枠１を右方向へ移動させると、枠側接触子６と本体側接触子８は接触しているが引出主接触子５と主回路端子３は接近するものの断路状態を維持した試験位置に達する。さらに右方向へ移動させると、引出主接触子５と主回路端子３も接触した接続位置に達する。
【００１２】
図１及び図２は、断路位置における二次断路装置のそれぞれ側面図及び平面図を示している。
枠側ユニット７は、枠側コネクタ１０、引出枠１の背面板１１に取り付けられた腕１２ａを有するコ字状の取付板１２、取付板１２の両腕１２ａに軸１３によって回転自在に支持された一対のロックレバー１４、ロックレバー１４を反時計方向に付勢するレバー復帰ばね１５、取付板１２に立脚するガイドピン１６及び枠側コネクタ１０を左方向に付勢するコネクタ復帰ばね１７を有する。
枠側コネクタ１０は、弾性を有する板部材からなる複数の接触子片を有するチューリップ型の枠側接触子６を複数並列して備え、腕１８ａを有するコ字状のコネクタ取付板１８に取り付けられている。コネクタ取付板１８の両腕１８ａには取付板１２の両腕１２ａに形成されたガイド孔１９に嵌め込まれたスライドピン２０が設けられており、コネクタ取付板１８の肩部分の両側にはガイドピン１６が嵌め込まれたガイド孔２１が形成されている。なお、それぞれの枠側接触子６の端部には外線を接続する端子６ａが形成されている。
【００１３】
本体側ユニット９は遮断器本体２に取り付けられたコ字状の取付板２２上に装着された本体側コネクタ２４を有しており、取付板２２の両腕の端部には直角曲げされたロックレバー受け２３が形成されている。また、本体側コネクタ２４には枠側接触子６と対を成す丸棒状の本体側接触子８が枠側接触子６に対向して複数設けられている。なお、それぞれの本体側接触子８の端部には機内配線を接続する端子８ａが形成されている。
【００１４】
このように構成された本実施例の動作について説明する。図１を参照して、本体側接触子８と枠側接触子６が断路状態にあり、枠側ユニット７はコネクタ復帰ばね１７によって左方向に付勢されているがスライドピン２０がガイド孔１９の左端と接触し、反時計方向に付勢されているロックレバー１４はそのストッパ端部がスライドピン２０と接触し、いずれも図示の位置で停止している。
この状態で遮断器本体２を右方向へ移動させると、図４に示すごとく本体側接触子８の先端部が枠側接触子６の先端部と接触して接触動作を開始し、弾性を有する枠側接触子６の接触子片を外側に広げるに要する作用力に相当する力によって枠側コネクタ１０が右方向へ付勢される。その結果、枠側コネクタ１０のスライドピン２０がロックレバー１４を時計方向に付勢する。しかし、ロックレバー１４は、そのロック端部がロックレバー受け２３と係合しているため時計方向の回転が阻止され、枠側コネクタ１０は図４で示される位置で留まる。したがって、本体側接触子８は枠側接触子６の接触子片をその弾性力に抗して外側へ広げて枠側接触子６との接触を確立する。さらに遮断器本体２を右方向へ移動させると、図５で示されているように枠側接触子６が本体側接触子８の摺動面を相対的に摺動して試験位置に達する。
【００１５】
この試験位置からさらに遮断器本体２を右方向へ移動させると、ロックレバー１４が、そのロック端部とロックレバー受け２３との係合が解消して自由状態となる。その後わずかに両接触子が摺動した後、本体側コネクタ２４の枠側表面２４ａが枠側コネクタ１０の本体側表面１０ａと接触して、両接触子を介することなく、本体側コネクタ２４が直接枠側コネクタ１０をスライドピン２０と共に右方向に付勢する。この結果、スライドピン２０に押されてロックレバー１４が時計方向に回転するとともに、枠側コネクタ１０はコネクタ復帰ばね１７に抗して本体側コネクタ２４と共に右方向へ移動し、図６に示されている接続位置の状態となる。
なお、コネクタ復帰ばね１７の作用力に比して両接触子の摺動摩擦力が大きい場合、ロックレバー１４が自由状態となった後両接触子が摺動せず本体側コネクタ２４の枠側表面２４ａが枠側コネクタ１０の本体側表面１０ａと接触することなく、両コネクターが接続位置まで移動することとなる。この場合でも、両接触子の接触が確立しているため性能上まったく問題はない。
【００１６】
なお、上述した挿入操作とは逆に遮断器本体２を接続位置から断路位置方向に引き出す場合は、接続位置から試験位置に移動させるとコネクタ復帰ばね１７の作用力により枠側コネクタ１０が左方向に、レバー復帰ばね１５の復帰力によりロックレバー１４が反時計方向に復帰し、図５の状態となる。さらに、左方向へ移動させてもスライドピン２０がガイド孔１９の左端と接触しているため、枠側コネクタ１０は左方向へさらに移動することなく図４の状態を経て図１で示されている断路位置の状態となる。
【００１７】
図７は、本発明による二次断路装置の第２実施例を説明する平面図である。第２実施例は主として第１実施例のロックレバー１４及びロックレバー１４に関係する部材を取り去るとともに、枠側コネクタ１０の復帰ばね１７の代わりに以下に説明するコネクタ移動阻止ばね３４を備えて構成されている。以下、第１実施例と本質的に同一の部材は同一の符号を付してその説明を省略する。
第２実施例の枠側ユニット３０は、取付板３１、取付板３１に立脚するガイドピン３２、枠側コネクタ取付板３３、ガイドピン３２に沿って取付板３１と枠側コネクタ取付板３３との間に設けられ枠側コネクタ１０を左方向に付勢するコネクタ移動阻止ばね３４を有する。
【００１８】
この第２実施例のコネクタ移動阻止ばね３４は、遮断器本体２を断路位置から試験位置まで移動させる途中に、本体側接触子８が弾性を有する枠側接触子６の接触子片を外側に広げて接触を確立させるときや接触が確立して両接触子が摺動しているときに枠側コネクタ１０が付勢される右方向の力以上の作用力を有するものが選定される。このため、遮断器本体２が移動して両接触子が接触を開始してから試験位置に達するまで、枠側コネクタ１０は移動せずその位置にとどまる。この試験位置からさらに遮断器本体２を右方向へ移動させると、本体側コネクタ２４の枠側表面２４ａが枠側コネクタ１０の本体側表面と接触し、コネクタ移動阻止ばね３４に抗して枠側コネクタ１０が本体側コネクタ２４と共に接続位置まで移動する。
【００１９】
以上説明した第１及び第２実施例は、枠側コネクタ１０が引出枠１上を移動し本体側コネクタ２４は遮断器本体２上に固定された形態となっているが逆であってもよい。また、断路位置から接続位置に移動する途中において枠側コネクタ１０の移動阻止状態が試験位置において解除されるようになっている。すなわち、所定の位置が遮断器本体２が試験位置にある状態となっているが、枠側接触子６と本体側接触子８との間で確実な接触が得られるなら試験位置でなくともよい。
【００２０】
【発明の効果】
本発明は、以上説明した形態で実施され、遮断器本体が移動阻止手段の阻止作用が解消する所定の位置から接続位置に移動する間、二次断路装置の両接触子が互いに相対的に停止した状態にあるため接触子の長さを短く構成できることにより、構成が簡単で小型の回路遮断器を提供できるという効果を奏する。
【図面の簡単な説明】
【図１】遮断器本体が断路位置にあるときの本発明による第１実施例の二次断路装置を示す側面図である。
【図２】図１の平面図である。
【図３】本発明の第１実施例の二次断路装置を備えた引出型回路遮断器の遮断器本体が断路位置にある時の側面図である。
【図４】二次断路装置の両接触子が接触したときの図１相当図である。
【図５】遮断器本体が試験位置にある時の図１相当図である。
【図６】遮断器本体が接続位置にある時の図１相当図である。
【図７】遮断器本体が断路位置にあるときの本発明による第２実施例の二次断路装置を示す平面図である。
【符号の説明】
１  引出枠
２  遮断器本体
３，４  主回路端子
５  引出主接触子
６  枠側接触子
７  枠側ユニット
８  本体側接触子
９  本体側ユニット
１０  枠側コネクタ
１１  背面板
１２  取付板
１３  軸
１４  ロックレバー
１５  レバー復帰ばね
１６  ガイドピン
１７  コネクタ復帰ばね
１８  コネクタ取付板
１９  ガイド孔
２０  スライドピン
２１  ガイド孔
２２  取付板
２３  ロックレバー受け
２４  本体側コネクタ
３０  枠側ユニット
３１  取付板
３２  ガイドピン
３３  コネクタ取付板
３４  コネクタ移動阻止ばね
【図１】
2004274832.tif 000003
【図２】
2004274832.tif 000004
【図３】
2004274832.tif 000005
【図４】
2004274832.tif 000006
【図５】
2004274832.tif 000007
【図６】
2004274832.tif 000008
【図７】
2004274832.tif 000009